(57)【特許請求の範囲】
【請求項１】
複数の印刷部が印刷された印刷紙に対して、前記各印刷部を分離するよう裁断する裁断装置の排紙トレイに装着される部材であって、
可撓性を有する材料で一体的に構成する一方、
裁断された印刷紙を載置する傾斜面を有する傾斜部と、前記傾斜面に対して折曲する脚部とを備え、
前記傾斜部の中央に下方に開口する方形状の欠損部を設けることで、前記傾斜部及び脚部に前記欠損部の大きさに応じた弾性力を付与する
ことを特徴とする裁断紙受け部材。
【請求項２】
複数の印刷部が印刷された印刷紙に対して、前記各印刷部を分離するよう裁断する裁断装置の排紙トレイであって、
前記排紙トレイの底部に、前記裁断機から搬出される裁断された印刷紙を受ける傾斜面を有する傾斜部を設け、
前記傾斜部への裁断された印刷紙の積載枚数に応じて前記傾斜面の傾斜角度を変化させる脚部を設け、
前記傾斜部と前記脚部は変形可能な材料で一体的に構成して排紙トレイの底部に配置し、
前記傾斜部の中央に下方に開口する方形状の欠損部を設けることで、前記傾斜部及び脚部に前記欠損部の大きさに応じた弾性力を付与するとともに、
前記排紙トレイの前記欠損部が対向する位置に、一部が前記欠損部内に開口するスリットを形成する
ことを特徴とする排紙トレイ。
【発明の詳細な説明】
【技術分野】
【０００１】
本発明は、複数の印刷部が印刷された印刷紙を所望の大きさに裁断する裁断装置に関し、特に、裁断された紙（裁断紙）を排出して積載する排紙トレイ、及び、排紙トレイに装着される裁断紙受け部材に関する。
裁断装置は、例えば、搬送された紙（印刷シート）に対して搬送方向と直角な方向にカッターで切断し、搬送方向に沿ってスリットで切断することで、１枚の紙（印刷シート）から複数の名刺やはがきを作成する際に使用される。
【背景技術】
【０００２】
裁断装置としては、複数の名刺を印刷した所定の大きさの印刷シートを、印刷された各名刺の上下の端縁をカッターで切断し、左右の側縁の切断及び各名刺の分離をスリットで行う構造が、例えば、特許文献１に記載されている。すなわち、この裁断装置によれば、１枚の用紙に複数の名刺を行列状に印刷し、その後、印刷シートに印刷された各名刺の上下端縁及び左右側縁を裁断し、名刺を個々に分離して排出する。
そして、このような構造の裁断装置においては、排出時において、裁断紙が排紙トレイに印刷面が同一側となるように整頓して積載されるように、排紙トレイの底面に傾斜を設けることが行われていた。また、排紙トレイへ収納する裁断紙の枚数を多くしたい場合には、排紙トレイの深さを深くすることが行われていた。
【先行技術文献】
【特許文献】
【０００３】
【特許文献１】特開平１０−７６４９５号公報。
【発明の概要】
【発明が解決しようとする課題】
【０００４】
上記の裁断装置によれば、裁断される名刺サイズの幅狭方向が搬送方向である場合、幅サイズより排紙トレイが深い場合には、排出される裁断紙が排紙トレイの前後壁に倒れかかった状態や、逆さの積載になる場合が生じることがあった。
そのため、整頓された積載状態を維持できず、紙つまりの発生原因になるという課題があった。
【０００５】
本発明は上記事情に鑑みて提案されたもので、裁断装置の排出トレイに裁断紙が積載される場合に、裁断紙の形状にかかわらず、また、積載枚数が多い場合でも整頓して積載することができる裁断紙受け部材、及び、この裁断紙受け部材が装着された排紙トレイを提供することを目的としている。
【課題を解決するための手段】
【０００６】
上記目的を達成するため本発明の請求項１に係る裁断紙受け部材は、複数の印刷部が印刷された印刷紙（印刷シート）に対して、前記各印刷部を分離するよう裁断する裁断装置の排紙トレイに装着される部材であって、次の構成を含むことを特徴としている。
裁断紙受け部材は、可撓性を有する材料で一体的に構成する。
裁断紙受け部材は、裁断された印刷紙を載置する傾斜面を有する傾斜部と、前記傾斜面に対して折曲する脚部とを備え、前記傾斜部の中央に下方に開口する方形状の欠損部を設けることで、前記傾斜部及び脚部に前記欠損部の大きさに応じた弾性力を付与する。
【０００８】
本発明の請求項２に係る排紙トレイは、複数の印刷部が印刷された印刷紙に対して、前記各印刷部を分離するよう裁断する裁断装置の排紙トレイであって、
前記排紙トレイの底部に、前記裁断機から搬出される裁断された印刷紙を受ける傾斜面を有する傾斜部を設け、
前記傾斜部への裁断された印刷紙の積載枚数に応じて前記傾斜面の傾斜角度を変化させる脚部を設け、
前記傾斜部と前記脚部は変形可能な材料で一体的に構成して排紙トレイの底部に配置し、
前記傾斜部の中央に下方に開口する方形状の欠損部を設けることで、前記傾斜部及び脚部に前記欠損部の大きさに応じた弾性力を付与するとともに、
前記排紙トレイの前記欠損部が対向する位置に、一部が前記欠損部内に開口するスリットを形成することを特徴としている。
【発明の効果】
【００１０】
本発明の裁断紙受け部材によれば、裁断紙受け部材は可撓性を有する材料で一体的に形成されているので、裁断された印刷紙（裁断紙）が傾斜部の傾斜面に載置され、その枚数が多くなると、傾斜面に対して弾性力を有する脚部の存在により、裁断紙の重さで傾斜部を撓ませることができる。
【００１１】
本発明の排紙トレイによれば、裁断された印刷紙（裁断紙）が傾斜部の傾斜面に載置され、その枚数が多くなると、傾斜面に対して弾性力を有する弾性部の存在により、裁断紙の重さで傾斜部が下降し、傾斜面が排紙トレイの底面に近づくため、排紙トレイの深さを確保し、必要とする量の裁断紙の積載を行うことができる。
【図面の簡単な説明】
【００１２】
【図１】本発明の排紙トレイが装着された裁断装置の斜視説明図である。
【図２】裁断装置の概略構成を示す構造説明図である。
【図３】裁断装置により裁断される印刷シートの一例を示す平面説明図である。
【図４】（ａ）（ｂ）は、本発明の裁断紙受け部材の実施の形態の一例を示すものであり、（ａ）は平面説明図、（ｂ）は正面説明図である。
【図５】図４の裁断紙受け部材を装着した排紙トレイの断面説明図である。
【図６】（ａ）（ｂ）は、本発明の裁断紙受け部材の実施の形態の他例を示すものであり、（ａ）は斜視説明図、（ｂ）は正面説明図である。
【図７】図６の裁断紙受け部材を装着した排紙トレイの断面説明図である。
【図８】排紙トレイの実施の形態の他の例を示す断面説明図である。
【発明を実施するための形態】
【００１３】
本発明の排紙トレイが装着された裁断装置の実施態様の一例について、図１乃至図３を参照しながら説明する。
裁断装置１は、図１に示すように一端側に給紙ユニット２を備え、給紙ユニット２から供給された印刷シートが内部において、搬送方向に直交する方向及び搬送方向でそれぞれ切断され、裁断紙が排紙ローラ３，４で排出され、他端側に装着された排紙トレイ１０内に積載される。
【００１４】
印刷シート１００は、例えば図３に示されるように、Ａ４サイズの用紙において、複数の名刺（印刷部）Ｎ、Ｎ・・が長手方向（図の上下方向）に５列（第１列Ｌ１乃至第５列Ｌ５）及び左右方向に２行（第１行Ｍ１及び第２行Ｍ２）に配置するように印刷されている。
印刷シート１００の周囲には、上余白部分１０２，下余白部分１０３，左余白部分１０４，右余白部分１０５がそれぞれ形成され、第１行Ｍ１と第２行Ｍ２の間には縦余白部分１０６が形成され、隣接する列の間には横余白部分１２１〜１２４が形成されている。
各名刺（印刷部）は、左側縁１０７及び側縁１０８、側縁１０９及び右側縁１１０と、上端縁１１１又は端縁１１２〜１２０で囲まれた領域であり、縦余白部分１０６及び横余白部分１２１〜１２４は、各名刺Ｎの側縁１０８、１０９又は端縁１１２〜１１９に隣接し、各名刺の文字、図形の印刷インキや着色料が隣接する名刺上にはみ出すことを防止する。また、縦余白部分１０６内の上側（搬送先側）に位置マーク１０１が印刷されている。位置マーク１０１の上端縁は、印刷シート１００の第１列Ｌ１の名刺の上端縁１１１と一直線をなすようになっている。
【００１５】
排紙トレイ１０は、上側が開口するとともに、前面から底面にかけて２個のスリット１１，１１が形成されている。排紙トレイ１０の底面には、排出された裁断紙の積載を整頓するための裁断紙受け部材２０が装着され、排紙ローラ３，４に沿った内壁には、裁断紙の排出方向の角度を調整するためのガイドプレート３０が装着されている。
コントロールパネル部５は、印刷シート１００を所望位置で裁断するための各種情報を入力するものであり、テンキー等を有して構成されている。
【００１６】
裁断装置１の内部には、図２に示すように、給紙ユニット２から印刷シートをピックアップする給紙ローラ６１、印刷シートを搬送する上下一対の分離ローラ６２，６３、印刷シートの位置を検知する位置センサ８０、位置センサ８０の奥側に配され給紙された印刷シートの先端及び切断された切り屑残りを検出する先端センサ（図示せず）及び給紙された印刷シートの位置マーク１０１を検出するマークセンサ（図示せず）、印刷シートを搬送する上下一対のカッター前搬送ローラ６４，６５、印刷シートを搬送方向と直交する方向に切断する往復運動可能な直刃を有する直刃ユニット６６，６７、印刷シートを搬送する上下一対のカッター後搬送ローラ６８，６９、印刷シートを搬送方向に切断するスリッタユニット（上刃）７１及びスリッタユニット（下刃）７２が設けられている。
【００１７】
給紙ユニット２の用紙台２ａ上へ供給された複数の印刷シートは、一対の側板２ｂの位置を調節することで用紙台２ａの中央位置に配置され、給紙ローラ６１でピックアップされて上下一対の分離ローラ６２，６３間に搬送され、更に上下一対の搬送ローラ６４，６５間に搬送され、直刃ユニット６６，６７へ供給される。
そして、各種センサ（位置センサ８０・先端センサ・マークセンサ）からの信号により、直刃ユニット６６，６７へ供給される印刷シートの第１列の名刺の上端縁を検出して上端縁検出信号を出力し、直刃ユニット６６，６７が、前記上端縁検出信号により制御され、直刃ユニット６６，６７により印刷シートを第１列の名刺の上端縁に沿って裁断する。
【００１８】
次に、第１列の名刺の下端縁を直刃ユニット６６，６７により裁断し、その後、順次、各列の上端縁及び下端縁を裁断し、それにより名刺の各列を順次裁断分離する。
続いて、カッター後搬送ローラ６８，６９が直刃ユニット６６，６７において裁断分離された名刺の各列をスリッタユニット７１，７２へ順次供給し、スリッタユニット７１，７２が有する複数組の円形上刃及び円形下刃により、カッター後搬送ローラ６８，６９から供給された各列の各名刺の右側縁及び左側縁を切断し名刺を個々に分離して裁断紙とし、排紙ローラ３，４を介して排紙トレイ１０へ排出する。
【００１９】
次に、排紙トレイ１０の底面に配置される裁断紙受け部材について、図４を参照しながら説明する。
裁断紙受け部材２０は、薄い樹脂体等の可撓性を有する方形状の平面板の一部を切断し所望位置を折曲することで一体的に構成されている。すなわち、裁断紙受け部材２０は、平面板の略半分側の部位において方形状の欠損部２４を形成することで裁断された印刷紙を載置するための傾斜面となる一対の傾斜部２１と、傾斜部２１に対して１３５〜１４５度程度折曲する脚部２２と、脚部２２に対して１５５〜１６５度程度折曲し排紙トレイ１０の底部に設置するための支持部２３とを備えて構成されている。一対の傾斜部２１は、裁断された印刷紙（裁断紙）を載置するための傾斜面となる。そして、裁断紙受け部材２０は可撓性を有しているので、傾斜部２１の先端と支持部２３が排紙トレイの底部に置かれた時、傾斜部２１及び脚部２２に弾性力が付与される。また、この弾力性は、方形状の欠損部２４の大きさを変化させることで調整することができる。欠損部２４は、傾斜部２１に複数の裁断紙が積載された場合に、下方より裁断紙の束を取り易くする機能を有している。
【００２０】
図４の裁断紙受け部材２０を底面に配置する排紙トレイ１０について、図１及び図５を参照しながら説明する。
排紙トレイ１０は、上側が開口するとともに、前面から底面にかけて２個のスリット１１，１１が形成され、排出方向に沿って底部が下方に傾斜する（底部が水平面に対して２０度程度傾斜する）構造となっている。そして、２個の裁断紙受け部材２０の各欠損部２４が各スリット１１にそれぞれ対応するように、排紙トレイ１０の底面の排紙ローラ３，４の端部に裁断紙受け部材２０の支持部２３を両面テープで固定することで、排紙トレイ１０内に２個の裁断紙受け部材２０を装着する。
この時、水平面に対する傾斜部２１の角度は４０度（排紙トレイ１０の底部の傾斜角＋裁断紙受け部材２０の傾斜部２１の傾斜角）程度となっている。傾斜部２１の水平面からの傾斜角度は、裁断紙を積載しない状態において、落下した裁断紙が滑り落ちる程度の傾斜角度であり、裁断紙の厚さや大きさにより変化するが、３５〜４５度程度が好ましい。また、傾斜部２１は、積載する裁断紙が増加して重量が増す毎に脚部２２が撓む弾性力を有している。
【００２１】
排紙トレイ１０の排紙ローラ３，４に沿った内壁には、裁断紙の排出角度を調整するためのガイドプレート３０,３０が装着され、排出される裁断紙の先端が確実に傾斜部２１に載置することで、裁断紙受け部材２０上への裁断紙の積載整頓が可能なようになっている。
また、排紙トレイ１０のスリット１１で挟まれた立壁１５の内壁には、排出される裁断紙が左右の裁断紙受け部材２０上にそれぞれ確実に積載するように案内するガイド片４０，４０が装着されている、
【００２２】
上述した排紙トレイ１０の構造によれば、カッター後搬送ローラ６８，６９（図２）により印刷シートを搬送してのスリッタユニット７１，７２での切断に同期して裁断紙が排紙ローラ３，４から排出される場合に、裁断紙の上下の排出方向はガイドプレート３０で、左右の排出方向はガイド片４０でガイドされる。したがって、裁断紙の排紙速度が遅い場合や裁断機の機械停止後に再スタートを行う場合においても、裁断紙を裁断紙受け部材２０上に確実に導き傾斜部２１の存在により裁断紙がスライドして排紙トレイ１０の前方位置に整頓して積載させることができる。そして、傾斜部２１に積載する裁断紙の枚数が増加した状態では、脚部２２が撓むことで傾斜部２１が排紙トレイ１０の底面に近づくため、排紙トレイ１０内における深さを確保し、必要とする量の裁断紙の積載を行うことができる。
【００２３】
裁断紙受け部材２０の他の例について、図６を参照しながら説明する。
裁断紙受け部材２０は、薄い樹脂体等の可撓性を有する二つの方形状の平面板を組み合わせて一体的することで構成されている。
裁断紙受け部材２０は、一方の平面板の略半分側の部位において下方より裁断紙の束を取り易くするための方形状の欠損部２４を形成し、平面板の他の部分を裁断された印刷紙（裁断紙）を載置するための傾斜面となる傾斜延長部２５とし、傾斜延長部２５の裏側位置に別の平面板で１３５〜１４５度程度の角度を付けて脚部２６を接着して固定する。脚部２６の反対側には、図４の裁断紙受け部材２０と同様に、脚部２６に対して１５５〜１６５度程度折曲し排紙トレイ１０の底部に設置するための支持部２７が形成されている。
そして、裁断紙受け部材２０は可撓性を有する部材を組み合わせて構成されているので、傾斜部２１の先端と支持部２７が排紙トレイの底部に置かれた時、傾斜部２１・傾斜延長部及び脚部２６に弾性力が付与される。また、この弾力性は、方形状の欠損部２４の大きさを変化させることで調整することができる。
【００２４】
図７は、図６の裁断紙受け部材２０を底面に配置する排紙トレイ１０を示すもので、図５と同一構成を取る部分については同一符号を付している。
この例によれば、傾斜部２１に対して傾斜延長部２５が設けられていることにより、傾斜部２１と傾斜延長部２５で傾斜面を構成するため、裁断紙の排出方向における手前側の傾斜面の面積を大きくすることができ、裁断紙をより確実に傾斜面に導くことができる。この構成の場合、裁断紙の排出する速さをある程度速くすれば、ガイドプレート３０の装着を省略しても裁断紙を傾斜部２１及び傾斜延長部２５の傾斜面に導くことができる。
【００２５】
図８は、排紙トレイ１０の他の構造を示すもので、図５と同一構成を取る部分については同一符号を付している。
図５及び図７の排紙トレイ１０では、底面に裁断紙受け部材２０を固定配置する構成としたが、図８は排紙トレイ１０の底面に直接、裁断紙を積層する裁断紙受け部５０を設けたものである。
すなわち、裁断紙受け部５０は、排紙トレイ１０の幅方向の長い長方形状の平板から構成される傾斜部５１の下端位置の両端に支点片５２を設け、この支点片５２が排紙トレイ１０の底面に設けた支持片１２に回動可能に軸止されている。傾斜部５１における支点片５２と反対側に対応する排紙トレイ１０の底面には穴１３が形成され、この穴に対して筒状の収納体１４が装着され、収納体１４の内部にコイルスプリング５３が配置されている。コイルスプリング５３の上端は傾斜部５１の裏面に当接され、傾斜部５１に弾性力を付与することで傾斜面を形成するようになっている。
【００２６】
上述した裁断紙受け部５０の構成によれば、排紙ローラ３，４から排出されて傾斜部５１上に導かれた裁断紙は、その傾斜面により裁断紙がスライドして排紙トレイ１０の前方位置に整頓して積載することができる。そして、傾斜部５１に積載する裁断紙の枚数が増加した状態では、コイルスプリング５３がその重さに応じて縮むことで、裁断紙の積載枚数に応じて傾斜部５１の傾斜角度を変化させることにより、傾斜部２１が排紙トレイ１０の底面に近づくため、排紙トレイ１０内における深さを確保し、必要とする量の裁断紙の積載を行うことができる。
【符号の説明】
【００２７】
１…裁断装置、  ２…給紙ユニット、  ３…排紙ローラ、  ４…排紙ローラ、  １０…排紙トレイ、１１…スリット、  ２０…裁断紙受け部材、  ２１…傾斜部、  ２２…脚部、  ２３…支持部、  ２４…欠損部、  ２５…傾斜延長部、  ２６…脚部、  ２７…支持部、  ３０…ガイドプレート、  ５０…裁断紙受け部、  ５１…傾斜部、  ５２…支点片、  ５３…コイルスプリング、  １００…印刷シート（印刷紙）。
【図１】
0005482990.tif 000002
【図２】
0005482990.tif 000003
【図３】
0005482990.tif 000004
【図４】
0005482990.tif 000005
【図５】
0005482990.tif 000006
【図６】
0005482990.tif 000007
【図７】
0005482990.tif 000008
【図８】
0005482990.tif 000009